(57)【要約】      （修正有）【課題】新聞・チラシ等を積み重ねて収納しそのままの状態で、紐受け部にセットされた綴じ紐でキの字型に結束する。【解決手段】キの字型結束ストッカーはプラスチック、金属、木材等の材料からなる上面及び、前方と後方の１部が開放された形状であり、底面板は中央部に紐６を通すための凹部と、その外側に紐受け突起部を２箇所設け、側面板５上部に紐固定用切り欠き１５と、その両側に紐受け突起部を各２箇所設けさらに、前方と後方両面に紐受け突起部を各２箇所設けてある事を特徴とするストッカーを構築し、中央部から各紐受け突起部を使用しあらかじめセットされた綴じヒモの掛け方で、積み重ね収納したままの状態でキの字型に結束する。【選択図】図７
2010269809.tif 000002
【特許請求の範囲】
【請求項１】
当該ストッカーは上面及び、前方と後方の１部が開放された形状であり、底面には中央部に紐を通しやすくするための凹部と、その外側に紐掛け用突起部を２箇所設け、左右側板上部に紐固定用切り欠きと、その両側に紐掛け用突起部を各２箇所設けてあり、さらに前方と後方面に紐掛け用突起部を各２箇所設ける事を特徴とし、新聞・雑誌を積み重ね収納したままの状態で、あらかじめ前述の紐掛け用突起部にセットされた綴じ紐でキの字型に結束することを特徴とする  キの字型結束ストッカー。
【発明の詳細な説明】
【技術分野】
【０００１】
一般家庭の新聞ストッカーに関する。
【背景技術】
【０００２】
通常のストッカーは、分別必要数（たとえば新聞とチラシで２種）と同数使用することにより、分別を明確に行うことが出来、居住空間に積み上げられている新聞束の外見上の雰囲気を向上させることが出来る。
しかし、一度新聞束をストッカーから排出した後に紐等、結束具を使用し結束せねばならず、手間がかかる上、結束中に新聞束が崩れることがある。
その為、新聞を収納する前に紐を底面に敷いてその両端は側面の上部に掛けるもの、上部側面の穴に通すものなど多数の考案、発明がなされている。
【先行技術文献】
【特許文献】
【０００３】
【特許文献１】特公開２００２−１６０７０８
【特許文献２】特公開２００２−０３７２３９
【発明の概要】
【発明が解決しようとする課題】
【０００４】
新聞・チラシ等を積み重ねて収納したままの状態で、あらかじめストッカーの紐受け部にセットされた綴じ紐を使用して通称  キの字型  と呼ばれる結び方で強固に結束する。
【課題を解決するための手段】
【０００５】
上記課題を解決するために本発明のキの字型結束ストッカーは本体をプラスチック、金属、木材等の材料から構成されその上面及び、前方と後方面の１部が開放された形状であり、底面は中央部に紐を通すための凹部と、その外側に紐掛け用突起を２箇所設け、左右側板の上部には紐固定用切り欠きと、その両側に紐掛け用突起を各２箇所設けさらに、前方と後方に紐掛け用突起を各２箇所設けたストッカーを構築する。
そのストッカー内に後述する手順で綴じ紐をセットする。
セットされた綴じ紐のうえに新聞・チラシ等を積み重ね収納しそのままの状態で、紐受け部にセットされた綴じ紐で  キの字型結に結束する。
【発明の効果】
【０００６】
以上説明したように本発明のキの字型結束ストッカーは積み重ね収納したままの状態で、紐掛け部にセットされた綴じ紐を使用し強固に結束することができる。
【図面の簡単な説明】
【０００７】
【図１】本発明のストッカーの斜視図である。
【図２】本発明のストッカーの紐掛け説明図１である。
【図３】本発明のストッカーの紐掛け説明図２である。
【図４】本発明のストッカーの紐掛け説明図３である。
【図５】本発明のストッカーの紐掛け説明図４である。
【図６】本発明のストッカーの紐掛け説明図５である。
【図７】本発明のストッカーの紐掛け説明図６である。
【図８】本発明のストッカーの新聞配置説明図１である。
【図９】本発明のストッカーの新聞配置説明図２である。
【図１０】本発明のストッカーの結束説明図である。
【図１１】本発明のストッカーの透視図である。
【発明を実施するための形態】
【０００８】
あらかじめストッカーの紐受け部にセットされた綴じ紐を使用し、新聞・チラシ等を積み重ねて収納したままの状態で、キの字型に結束する。
ストッカーの底面には紐を通しやすくするための凹部を中央に設け、その外側に紐を掛るための突起を２箇所設け、左右の側板の上部には紐固定用切り欠きと、その両側に紐を掛るための突起を各２箇所設け、さらに前方と後方面には紐を掛るための突起部を各２箇所設置する事で、新聞・チラシ等を積み重ねて収納したままの状態で、容易に  キの字型結束する事を実現した。
【実施例】
【０００９】
図１、図１１を用いて本発明のキの字型結束ストッカーの構造について説明する。本発明のキの字型結束ストッカー本体（１）はプラスチック、金属、木材等の材料から成型される。その上面及び前方と後方面の１部は開放された形状であり、底面板（２）は中央部に凹部（１０）と、その外側に紐掛け用突起部（１１）を２箇所設け、左右側板（５）の上部に紐固定用切り欠き（１５）と、その両側に突起部（１４）を各２箇所設けてあり、さらに前方と後方面に突起部（１２，１３）を各２箇所設けてある。
【００１０】
ストッカーの底面（２）には、紐を通し易くする為に、中央に凹部（１０）を設ける。  図１、図１１参照。
【００１１】
ストッカーの底面の凹部（１０）の両脇に直立する突起部（１１）を２箇所設ける。
図２参照。最初にこの突起部（１１）に綴じ紐の中央（８）を引っ掛ける。
【００１２】
底面板の前面（３）に、突起部（１２）を２箇所設ける。３参照。
この突起部（１２）には、突起部（１１）から引いた紐を掛け左右に開く。
【００１３】
左右側板（５）に、突起部（１４）を各２箇所設ける。図４参照
この突起部（１４）には、突起部（１２）から左右に分けられてきた紐を掛ける。
【００１４】
底面板の後面（４）に、突起部（１３）を２本設ける。図５参照
この突起部（１３）には、突起部（１４）からきた紐を掛ける。
【００１５】
該新聞ストッカーの綴じ紐の掛け方を要約する。
古新聞を１５〜２０センチ程度積み上げ縛るには２６０センチ程度の紐が必要である。
あらかじめこの程度に切断した紐を準備しておくのが望ましい。
【００１６】
２６０cm程度の紐（６）の中央辺り（８）を底面部（２）の紐掛け用の突起部
（１１）の後方より手前側へ図２のように掛ける。
【００１７】
さらにその紐（６）の両側を底面板前面部（３）の紐掛け用の突起部（１２）内側から外側へ図３のように掛ける。
【００１８】
さらにその紐（６）の両側を底面板前面（３）に這わせ、両側面板（５）外側を這わせ、両側面板（５）の紐掛け用の突起部（１４）上側に図４のように掛ける。
【００１９】
さらにその紐（６）の両側を両側面板（５）の外側を這わせ、底面板後面（４）に這わせ、底面板後面部（４）のヒモ掛け用の突起部（１３）に図５のように掛ける。
【００２０】
さらにその紐（６）の両側を底面板（２）の凹部（１０）を図６のように通す。
【００２１】
さらにその紐（６）の両側を両側板（５）上部の紐固定用切り欠き（１５）に図７のように引っ掛ける。
【００２２】
新聞（９）は、四つ折にして本ストッカー（１）に重ね、図８のように容易に持てる程度の量に達したら、紐（６）の両側面板（５）の紐掛け用の突起部（１４）に掛かっている部分を図９のように新聞（９）の上面に掛け、紐両端（７）を上方向へ引きながら、
図１０のように紐（６）を強く締め上げてから結束する。
【符号の説明】
【００２３】
１   ストッカー本体
２   底面板
３   底面板前面
４   底面板後面
５   側面板 
６   紐
７   紐の両端
８   紐の中央部
９   新聞・チラシ
１０ 紐通し用凹部
１１ 突起部
１２ 前面突起部
１３ 後面突起部
１４ 側面突起部
１５ 紐固定用切り欠き
【図１】
2010269809.tif 000003
【図２】
2010269809.tif 000004
【図３】
2010269809.tif 000005
【図４】
2010269809.tif 000006
【図５】
2010269809.tif 000007
【図６】
2010269809.tif 000008
【図７】
2010269809.tif 000009
【図８】
2010269809.tif 000010
【図９】
2010269809.tif 000011
【図１０】
2010269809.tif 000012
【図１１】
2010269809.tif 000013